(57)【要約】【課題】得られる投影画像が明るくて安価に製造できるプロジェクタを提供する。【解決手段】画像に従って強度が変化する複数の発光源１０２と、画像に従ってスクリーン１１２をカバーするように複数の発光源１０２からの光を走査する走査光学素子１０８とを備えた。複数の発光源１０２は複数のグループ１０２ａ、１０２ｂ、・・・、１０２ｎに構成されている。スクリーン１１２が分割される複数の２次元サブ領域の対応する１つを、各グループ１０２ａ、１０２ｂ、・・・、１０２ｎによって出力される光がカバーする。【選択図】　　　図１
2004004818.tif 000002
【特許請求の範囲】
【請求項１】
画像に従って強度が変化する複数の発光源と、
前記画像に従って２次元面をカバーするように前記複数の発光源によって出力される光を走査する走査光学素子とを備えるプロジェクタ。
【請求項２】
前記複数の発光源は複数のグループに構成され、前記２次元面が分割される複数の２次元サブ領域の対応する１つを各グループによって出力される光がカバーする機能を有する請求項１に記載のプロジェクタ。
【請求項３】
前記複数の２次元サブ領域は、重なっていない複数の２次元サブ領域を含む請求項２に記載のプロジェクタ。
【請求項４】
前記複数の２次元サブ領域は、重なっている複数の２次元サブ領域を含む請求項２に記載のプロジェクタ。
【請求項５】
前記走査光学素子は、２つのディメンションにわたって各グループによって出力される光を走査し、前記グループによって出力される光が関連する対応の２次元サブ領域をカバーする請求項２に記載のプロジェクタ。
【請求項６】
前記複数の発光源によって出力される光は、前記２次元面の第１のディメンションに実質的に沿って構成され、前記走査光学素子は、前記複数の発光源によって出力される光を前記２次元面をカバーするように前記２次元面の第２のディメンションにわたって走査する請求項１に記載のプロジェクタ。
【請求項７】
前記複数の発光源によって出力される光は、前記２次元面の前記第１のディメンションに沿って列構成で構成される請求項６に記載のプロジェクタ。
【請求項８】
前記複数の発光源によって出力される光は、前記２次元面の前記第１のディメンションに沿って互い違いに構成される請求項６に記載のプロジェクタ。
【請求項９】
前記複数の発光源によって出力される光は、前記２次元面の前記第１のディメンションに沿ってまばらな列構成で構成される請求項６に記載のプロジェクタ。
【請求項１０】
前記複数の発光源は複数のグループに構成され、各グループは、赤色光を発する少なくとも１つの赤色発光源と、緑色光を発する少なくとも１つの緑色発光源と、青色光を発する少なくとも１つの青色発光源とを含み、前記複数のグループによって発せられる光は、前記２次元面の前記第１のディメンションに実質的に沿って構成される請求項６に記載のプロジェクタ。
【発明の詳細な説明】
【０００１】
【発明の属する技術分野】
本発明は、プロジェクタに関し、特に、走査光学素子を用いるプロジェクタに関する。
【０００２】
【従来の技術】
プロジェクタは、一般に、光源と、光学システムと、電子部品と、大画像を見るためにコンピュータまたはビデオデバイスからの画像を壁またはスクリーンに投影するディプレイとを一体化させたデバイスである。プロジェクタは、特に、仕事の任務の一部としてプレゼンテーションを行うビジネスユーザの間で普及している。比較的新しいプロジェクタは数キログラム（数ポンド）ほどの重量であり、ビジネス旅行者に適している。投影技術の質が向上するにつれて、プロジェクタはまた、高精細テレビ（ＨＤＴＶ）および他の家庭内娯楽用のために一般の家庭でも用いられている。工業専門家の中には、デジタルプロジェクタが映画館において用いられる標準的な投影技術にもなると予想している者がいる。
【０００３】
通常のプロジェクタは、光を空間変調するための空間光変調器（ＳＬＭ）を有し、画像はスクリーンに投影されて見られる。光は通常、１つまたはそれ以上のビームとしてＳＬＭまで透過し、ＳＬＭは、所望の画像がスクリーンに投影されるようにその光を処理する。従来、ＳＬＭは、本質的に透過性であった。光は、ＳＬＭを透過し、ＳＬＭは、スクリーンに投影される画像に従って光を変調する。このタイプのＳＬＭの例としては、液晶デイスプレイ（ＬＣＤ）が挙げられる。しかし、透過性ＳＬＭは、得られる投影画像が、ＳＬＭを通過しなければならない光のために薄暗くなるという欠点を有する。
【０００４】
【発明が解決しようとする課題】
より最近のＳＬＭは、本質的に反射式である。光はＳＬＭから反射され、ＳＬＭは、スクリーンに投影されるべき画像に従って光を変調する。このタイプのＳＬＭの典型的な例としては、デジタルマイクロミラーデバイス（ＤＭＤ）が挙げられ、このようなＳＬＭを用いるプロジェクタは、デジタル光処理（ＤＬＰ）プロジェクタとして既知である。ＤＬＰプロジェクタは、より明るい画像を投影することができる。なぜなら、反射式ＳＬＭでは光が透過する部品が必要ないからである。しかし、反射式ＳＬＭは高価なデバイスであり、その結果、ＤＬＰプロジェクタの使用はあまり普及していない。したがって、これらおよび他の理由により、本発明が必要とされる。
本発明の目的は、走査光学素子を用いるプロジェクタを提供することである。
【０００５】
【課題を解決するための手段】
いくつかの発光源は、その強度が画像に応じて変化する。走査光学素子は、発光源によって出力される光を走査し、画像に従って２次元面をカバーする。
【０００６】
本明細書で参照する図面は、本明細書の一部を形成する。図面に示される特徴は、本発明のほんのいくつかの実施形態を例示することを意図し、特に指摘されていない限り、本発明の実施形態をすべて例示するものではなく、それに反する含みはない。
【０００７】
【発明の実施の形態】
以下の本発明の例示的な実施形態の詳細な説明では、その説明の一部を形成し、本発明が実施され得る具体的な実施形態を例示として示す添付の図面を参照している。これらの実施形態は、当業者が本発明を実施することができるように十分に詳細に記載されている。他の実施形態を用いてもよく、論理的、機械的かつその他の変更は、本発明の趣旨または範囲を逸脱せずに行われ得る。したがって、以下の詳細な説明は、限定を意味するものではなく、本発明の範囲は、併記の特許請求の範囲によってのみ限定される。
【０００８】
概要
図１は、本発明の実施形態による投影システム１００のブロック図である。システム１００は、プロジェクタとして実施され得る。投影システム１００は、発光ユニット１０２、画像コントローラ１０４および画像源１０６を有する。システム１００はまた、走査光学素子１０８、投影光学素子１１０およびスクリーン１１２を有する。発光ユニット１０２は、好ましくは、発光ダイオード（ＬＥＤ）、レーザまたは他の発光源などの発光源を有する。画像コントローラ１０４は、画像源１０６によって出力される画像に従って、発光ユニット１０２を個別にオン／オフにする。例えば、発光ユニット１０２は、赤色発光ユニット、緑色発光ユニットおよび青色発光ユニットを有し得る。発光ユニット１０２の強度を変更することによって（これは、発光ユニットを単にオン／オフにすることを含む）、画像コントローラ１０４は、画像源１０６によって出力される画像によって規定される色の光を発光ユニット１０２が生成することを確実にする。すなわち、発光ユニット１０２をオン／オフにすることは、発光ユニット１０２の強度を変更するという語句に包含される。画像源１０６は、コンピュータ、ビデオデバイス等であり得るのに対して、画像は、静止画像または動画であり得る。
【０００９】
走査光学素子１０８は、画像源１０６によって出力される画像に従って、発光ユニット１０２によって出力される光を走査し、スクリーン１１２などの２次元面をカバーする。本明細書で用いる用語「走査」は、限定はされないが、概して、光が画像に従って面全体を最終的にカバーするような体系的な２次元面にわたる光ビームの移動などの、光の移動を意味する。例えば、１つの実施形態では、２次元面は、２次元面全体がカバーされるように異なる発光ユニット１０２によってライン毎に個別に走査されるサブ領域に分割することができる。別の例としては、別の実施形態において、発光ユニット１０２によって出力される光は、面の２つのディメンションのうちの一方に実質的に沿って構成され、他方のディメンションに沿った走査は２次元面全体をカバーする。これらの手法のそれぞれは、詳細な説明の以下のセクションにおいてさらに詳細に記載されている。
【００１０】
２次元面をカバーするための発光ユニット１０２によって出力される光の走査と、このような走査を行うための走査光学素子１０８の使用とによって、好ましくは、投影システム１００における空間光変調器（ＳＬＭ）を用いる必要がなくなる。すなわち、画像に従って光をＳＬＭ透過または反射させるのではなく、本発明の実施形態による投影システム１００は、光で２次元面を走査しながら発光ユニット１０２によって出力される光をオン／オフする。ＳＬＭを除去することが好ましいということは、他の利点の中でも、本発明の実施形態による投影システム１００を実施すると、従来の投影システムを実施することに比べて、コスト上有利であることを意味する。
【００１１】
投影光学素子１１０は、画像に従って、スクリーン１１２に向かって外側に、走査光学素子１０８によって走査される光を投影する。走査光学素子１０８および投影光学素子１１０は、図１に示されるのとは異なる順序で互いに配置してもよい。例えば、発光ユニット１０２によって出力される光は、まず、走査光学素子１０８によって走査される前に、投影光学素子１１０を通過するようにしてもよい。同様に、システム１００の他の構成要素は、図１に示されるのとは異なるように配置することができる。
【００１２】
（第１の具体的な実施形態）
本発明の１つの具体的な実施形態では、図１の投影システム１００の発光ユニット１０２は、複数のグループに分割され、各グループの光は、スクリーン１１２などの２次元面の異なるサブ領域にわたって走査光学素子１０８によって走査される。すなわち、各グループは、２次元面の対応するサブ領域をカバーするように機能する。図２の（ａ）および（ｂ）は、２次元面が、本発明の様々な実施形態に従って種々のサブ領域に分割され得る様子を示している。図２の（ａ）において、２次元面２００は、互いに重なっていない複数のサブ領域２０２ａ、２０２ｂ、．．．、２０２ｎに分割される。
【００１３】
比較として、図２の（ｂ）には、重なっているサブ領域２５２、２５４、２５６、２５８、２６０が存在する２次元面の部分２５０が示されている。特に、サブ領域２５２、２５４、２５６、２５８は、サブ領域２６０と重なっている。重なっているサブ領域は、投影システムの発光ユニットの１つまたはそれ以上が故障した場合などに用いられるのが望ましく、その結果スクリーンに投影される画像は、故障した発光ユニットに対応する空白のサブ領域を有さない。さらに、重なっているサブ領域の構成方式は、図２の（ｂ）に示されるものとは異なっていてもよく、図２（ｂ）のサブ領域２５２、２５４、２５６、２５８、２６０が重なっている様子は、このような構成方式の一例に過ぎない。
【００１４】
図３は、本発明の実施形態による、所与の発光ユニットによって発せられる光（例えば、所与の発光ユニットによって発せられる光ビーム）が２次元面の対応するサブ領域３０２をどのように走査するのかを示す図形３００である。光は、水平な走査ライン３０４ａ、３０４ｂ、．．．、３０４ｎを左から右に個別に走査する。例えば、光はまず、走査ライン３０４ｎに到達するまで、走査ライン３０４ａを左から右に走査し、次に、水平ライン３０４ｂを走査していく。水平ライン３０４ｎが走査されると、プロセスは、矢印３０６で示されるように繰り返される。光が各ラインを走査すると、発光ユニットを構成する発光源は、画像に従ってオン／オフされ、画像は適切に投影される。
【００１５】
図４は、本発明の実施形態による、図１の投影システム１００の発光ユニット１０２をさらに詳細に示す。ここでは、発光ユニット１０２のそれぞれによって出力される光は、対応する２次元サブ領域をカバーする機能を有する。発光ユニット１０２は、発光ユニット１０２ａ、１０２ｂ、．．．、１０２ｎを有する。発光ユニット１０２ａは特に詳細に示されるが、他の発光ユニット１０２ｂ、．．．、１０２ｎは同様に実施されている。発光ユニット１０２ａは、赤色光、緑色光および青色光をそれぞれ発する、１つまたはそれ以上の赤色発光源４０２、１つまたはそれ以上の緑色発光源４０４および１つまたはそれ以上の青色発光源４０６を有する。発光源４０２、４０４、４０６は、それぞれ、赤色ＬＥＤ、緑色ＬＥＤおよび青色ＬＥＤであり得る。これらの発光源４０２、４０４、４０６によって出力される光は、１つまたはそれ以上の赤色光、緑色光および青色光から構成される光ビームを形成し、かつ方向づけるビーム形成器およびディレクタ４０８に出力される。
【００１６】
このように、この光ビームは、発光ユニット１０２ａに対応する２次元サブ領域にわたって図１の投影システム１００の走査光学素子１０８が走査するものである。図１の投影システム１００の画像コントローラ１０４は、図１の投影システム１００の画像源１０６によって提供される画像に従って、光源４０２、４０４、４０６をオン／オフし、より一般的には、対応するサブ領域にわたって走査光学素子１０８がビームを走査する際に、強度を変更する。この結果、このサブ領域に対応する画像の部分は、図１の投影システム１００のスクリーン１１２に投影される。発光ユニット１０２ａによって出力される光ビームの走査に加えて、他の発光ユニット１０２ｂ．．．、１０２ｎによって出力される光ビームの走査光学素子１０８による他のサブ領域の走査により、画像全体がスクリーン１１２に投影される。
【００１７】
図５の（ａ）および（ｂ）は、本発明の実施形態による、図１の投影システム１００の走査光学素子１０８の詳細をさらに詳しく示す。ここで、発光ユニット１０２のそれぞれによって出力される光は、２次元面の対応するサブ領域をカバーする機能を有する。図５の（ａ）において、走査光学素子１０８は、本発明の実施形態による、垂直転位光学素子５０２および水平転位光学素子５０４を有する。垂直転位光学素子５０２は、発光ユニット１０２の１つによって出力される光ビームを垂直に移動させ、水平転位光学素子５０４は、この発光ユニットによって出力される光を水平に移動させる。
【００１８】
好ましくは、本実施形態では、垂直転位光学素子５０２は、対応するサブ領域にわたって少なくとも実質的に水平に光ビームを水平転位光学素子５０４が完全に走査した後、光ビームを垂直に移動させる。すなわち、発光ユニットによって出力される光ビームは、垂直転位光学素子５０２によって光ビームがサブ領域の次のラインを走査し始める前に、水平転位光学素子５０４によってその対応するサブ領域のラインを水平に走査する。走査光学素子１０８は、発光ユニット１０２のそれぞれに対して素子５０２、５０４を有し得るか、または同素子５０２、５０４は、実質的にすべてのユニット１０２を含む複数の発光ユニット１０２に対して共有され得る。
【００１９】
光学素子５０２、５０４は、レンズ、ミラー、ならびに他のタイプの透過および反射素子として、異なる様々な様式で実施され得る。図５の（ｂ）において、１つの実施例が示されている。具体的には、転位プリズムユニット５５０が、本発明の実施形態に従って示されている。このユニット５００は、図５の（ａ）の垂直転位光学素子５０２および水平転位光学素子５０４のいずれか一方または両方を個別に実施することが可能である。プリズムユニット５５０は、具体的には、断面形状が台形の反射プリズム５５２を含む。この反射プリズム５５２は、矢印５５６で示されるように図５の（ｂ）の面に回転される基部５５４に設けられる。光ビーム５５８は、様々な角度で反射プリズム５５２に入射する。角度は、反射プリズム５５２の台形断面形状のために変化する。この結果、光ビーム５５８は、矢印５６０で示されるように、プリズムユニット５５０の配置に応じて、上下または左右に移動する。
【００２０】
プリズムユニット５５０が光学素子５０２、５０４のそれぞれを実施する場合、垂直転位光学素子５０２を実施するプリズムユニット５５０は、好ましくは、水平転位光学素子５０４を実施するプリズムユニット５５０が回転する速度よりも所定倍遅い速度で回転する。垂直転位光学素子５０２の回転速度に対する水平転位光学素子５０４の回転速度の比は、好ましくは、走査光学素子１０８によって走査される光ビームがカバーするサブ領域の水平走査ラインの数に等しい。この比は、光学素子５０２、５０４を共に適当に連動させることによって、または別の手法によって成し遂げることができる。図５の（ｂ）のプリズムユニット５５０を用いて図５の（ａ）の光学素子５０２、５０４のそれぞれを実施することによって、完全ではないが実質的に水平走査ラインが走査されることになることに留意されたい。これは、当業者には言うまでもなく、水平転位光学素子５０４が光ビームを横断して移動させながら、垂直転位光学素子５０２が光ビームを垂直に下方に移動させるためである。
【００２１】
（第２の具体的な実施形態）
本発明の別の具体的な実施形態では、図１の投影システム１００の発光ユニットは、スクリーン１１２などの２次元面の第１のディメンション（次元あるいは方向）に実質的に沿って構成される光を出力し、走査光学素子１０８は、この面の他方のディメンション（第１のディメンションに垂直な次元または方向）にわたって光を走査する。これは、図６（ａ）の図形６００に特に示されている。発光ユニットによって出力される光６０４は、２次元面６０２の垂直ディメンションに実質的に沿って構成または形成される。走査光学素子は、矢印６０６で示されるように、２次元面６０２の水平ディメンションにわたって光６０４を走査する。走査が起こると、光６０４を構成する個々の光ビーム（図６の（ａ）には特に示されていない）は、画像が適切に投影されるように、画像源によって出力される画像に従って画像コントローラによってオン／オフされ、強度がオプションで変更される。
【００２２】
図６の（ｂ）、（ｃ）および（ｄ）は、図６の（ａ）の光６０４が２次元面６０２の２つのディメンションの１つに実質的に沿って構成され得る様々な様子を示している。図６の（ｂ）において、光６０４は、複数の光ビーム６０６ａ、６０６ｂ、．．．、６０６ｎで構成されている。光ビーム６０６ａ、６０６ｂ、．．．、６０６ｎは、各光ビームが他の光ビームに対して垂直に整列される列構造で構成される。比較として、図６の（ｃ）において、光６０４の光ビーム６０６ａ、６０６ｂ、．．．、６０６ｎは、２つの垂直列にわたって互い違いに構成される。しかし、光ビームが図６の（ａ）の面６０２のディメンションの１つに実質的に沿って構成されるとも言える。第１の列の光ビームは、第２の列の光ビームと重なるギャップをその間に有し、第２の列の光ビームは、第１の列の光ビームと重なるギャップをその間に有する。これにより、図６の（ｂ）における光ビームの形成と比較して、得られる投影画像の解像度はより高くなる。
【００２３】
図６の（ｄ）において、光６０４の光ビーム６０６ａ、６０６ｂ、．．．、６０６ｎは、まばらな列構造で構成されている。ここでは、各光ビームは、図６の（ｂ）におけるように、他の光ビームに対して垂直に整列されている。しかし、図６の（ｂ）の構造とは違って、図６の（ｄ）の構造は、個々の光ビームの間に比較的大きなギャップを有する。従って、所望の解像度を成し遂げるために、光６０４が図６の（ａ）の面６０２を横断して走査されるとき、光ビーム６０６ａ、６０６ｂ、．．．、６０６ｎは、矢印６０８によって示されるように垂直方向に同時に迅速に移動し、個々の光ビームの間のギャップがカバーされる。図６の（ｂ）および（ｃ）の構造と比較すると、図６の（ｄ）の構造では、少ない光ビーム、したがって少ない発光ユニットでよく、コスト効率が良い。
【００２４】
図７および図８は、本発明の実施形態による、図１の投影システム１００の発光ユニット１０２をより詳細に示す。ここでは、発光ユニット１０２によって出力される光は、２次元面の第１のディメンション（次元または方向）に実質的に沿って構成され、２次元面の第２のディメンションに沿って走査される。図７において、発光ユニット１０２は、発光ユニット１０２ａ、１０２ｂ、．．．、１０２ｎを有する。発光ユニット１０２ａは、特に詳細に示され、他の発光ユニット１０２ｂ、．．．、１０２ｎは同様に実施されている。発光ユニット１０２ａは、赤色光、緑色光および青色光をそれぞれ発する、１つまたはそれ以上の赤色発光源７０２、１つまたはそれ以上の緑色発光源７０４および１つまたはそれ以上の青色発光源７０６を有する。発光源７０２、７０４、７０６は、それぞれ、赤色ＬＥＤ、緑色ＬＥＤおよび青色ＬＥＤであり得る。
【００２５】
これらの発光源７０２、７０４、７０６によって出力される光は、１つまたはそれ以上の赤色光、緑色光および青色光で構成される光ビームを形成し、かつ方向づけるビーム形成器およびディレクタ７０８に出力される。次に、光ファイバ７１０は、この光ビームを他の発光ユニットによって出力される光ビームに対して配置し、上記のように、光ビームは２次元面の第１のディメンションに実質的に沿って構成される。光ビームが、図６の（ｄ）に示されるように、まばらな構造で構成される場合、オプションの移動機構７１２は、光ビームが実質的に構成されるのと同じディメンションに沿って左右に移動することが可能なように存在し得る。この移動機構７１２は、光学機構、または他のタイプの機構であり得る。
【００２６】
このように、図７の実施形態では、発光源は、発光ユニット１０２ａ、１０２ｂ、．．．、１０２ｎに対応する種々のグループに構成され、発光ユニット１０２ａ、１０２ｂ、．．．、１０２ｎによって出力される光ビームは、２次元面のディメンションの一方に実質的に沿って構成され、他方のディメンションに沿った面を横断して走査される。比較として、図８の実施形態では、発光ユニット１０２は、赤色光アレイ７５２、緑色光アレイ７５４および青色光アレイ７５６を有する。光アレイ７５２、７５４および７５６は、赤色光、緑色光および青色光をそれぞれ出力し、それぞれ、赤色ＬＥＤ、緑色ＬＥＤおよび青色ＬＥＤのアレイであり得る。
【００２７】
光アレイ７５２、７５４、７５６のそれぞれは、例示的に明確にするため、図８においてはビーム形成器およびディレクタ７５８ａ、７５８ｂに対してのみ特に示されているように、光をビーム形成器およびディレクタ７５８ａ、７５８ｂ、．．．、７５８ｎに出力する。ビーム形成器およびディレクタ７５８ａ、７５８ｂ、．．．、７５８ｎは、１つまたはそれ以上の赤色光、緑色光および青色光で構成される光ビームを形成し、かつ方向づける。次に、光ビームは、２次元面の第１のディメンションに実質的に沿って構成されるように、光ファイバ７６０ａ、７６０ｂ、．．．、７６０ｎによって配置される。図７と同様に、図８の光ビームがまばらに構成される場合、オプションの移動機構７１２は、光ビームが実質的に構成されるのと同じディメンションに沿って左右に移動することができるように存在し得る。
【００２８】
しかし、図７および図８における発光ユニット１０２の実施では、用いられる走査プロセスの基本動作は変更されない。図７および図８における発光ユニット１０２によって出力される光ビームは、２次元面の第１のディメンションに沿って構成され、面の第２のディメンションを横断して走査される。光ビームが面の第２のディメンションを横断して走査されると、各ビームを構成する赤色光、緑色光および青色光は、画像源によって提供される画像に従って画像コントローラで個別にオン／オフされ、その強度はオプションで変更される。これにより、画像は適切に投影される。
【００２９】
図９は、本発明の実施形態による、図１の投影システム１００の走査光学素子１０８を詳細に示したものである。ここでは、発光ユニットによって出力される光は、２次元面の第１のディメンションに実質的に沿って構成され、２次元面の第２のディメンションに沿って走査される。図形８００では、光ビーム８０６は、図９の面と直交する２次元面のディメンションに沿って構成される。図９において八角形ミラー（本発明はこれに限定されない）として具体的に示されている多角形ミラー８０２は、矢印８０４で示されるように回転する。
【００３０】
多角形ミラー８０２が回転すると、光ビーム８０６は、様々な角度で多角形ミラー８０２側面に入射する。その結果、光ビーム８０６は、矢印８１２で示されるように、２次元面の第２のディメンションにわたってビーム８０８からビーム８１０まで左右に走査される。２次元面の第２のディメンションに沿ったこの走査は、ビーム８０６が多角形ミラー８０２の別の側面に入射するように回転する度に行われる。このように、光ビーム８０６の走査の速度は、多角形ミラー８０２がどのくらいの速さで回転するか、および多角形ミラー８０２が有する側面の数に依存する。
【００３１】
方法
図１０に、本発明の実施形態による使用方法９００を示す。使用方法９００は、詳細な説明の上記の２つのセクションに記載された２つの具体的な実施形態のいずれかに従って、かつ／または投影システムの別のタイプのプロジェクタに従って、図１の投影システム１００に応じて行われ得る。まず、複数の光ビームが提供され（９０２）、形成され方向づけられる（９０４）。各光ビームは、赤色光、緑色光および青色光で構成され、光ビームは、画像に従って個別にオン／オフされる（９０６）。例えば、各光ビームを構成する赤色光、緑色光および青色光は、個別にオン／オフされるか、またはその強度が個別に変更され得る。
【００３２】
光ビームは、画像に従って、２次元面をカバーするように走査される（９０８）。例えば、各光ビームは、２次元面の対応する２次元サブ領域の２つのディメンションにわたって走査され得る。別の例としては、光ビームは、２次元面の一方のディメンションに実質的に沿って構成され、２次元面の他方のディメンションに沿って走査され得る。走査光学素子は、好ましくは、光ビームのこの走査を達成するために用いられる。光ビームは、最終的には、投影光学素子を通って表示用スクリーンに出力される（９１０）。
【００３３】
図１１に、本発明の実施形態による製造方法１０００を示す。方法１０００は、図１の投影システム１００を実施するため、上述した２つの具体的な実施形態のいずれかを実施するため、および／または他のタイプのプロジェクタまたは投影システムを実施するために行われ得る。まず、画像に従って個別にオン／オフされることができる複数の発光源が提供される（１００２）。発光源は、それぞれ、赤色、緑色および青色の発光源を含み得る。発光源によって出力される光または光ビームを画像に従って走査して２次元面をカバーすることが可能な走査光学素子も提供される（１００４）。
【００３４】
次に、２次元面は、発光源に対応する重なっているかまたは重なっていない２次元サブ領域に分割されるか、あるいは発光源によって出力される光または光ビームは、２次元面の第１のディメンションに沿って構成される（１００６）。前者の場合、各発光源は、２次元面の対応するサブ領域をカバーする機能を有し、走査光学素子によって２つのディメンションで走査され、サブ領域を完全にカバーする。後者の場合、発光源は、２次元面が完全にカバーされるように、２次元面の他方のディメンションにわたって走査光学素子によって走査される。最後に、投影光学素子は、走査される光ビームが通過してスクリーンに投影されるように配置される（１００８）。
【００３５】
結論
本明細書では、具体的な実施形態を例示および説明したが、当業者には言うまでもなく、図示される具体的な実施形態の代わりに、同じ目的を達成すると考えられる任意の配置を用いてよいことに留意されたい。例えば、光源は、本明細書では、オン／オフ可能なものとして本発明のいくつかの実施形態に関連して記載されているが、本発明はそれに限定されず、強度をより大まかに変更させることが可能な光源を含む。すなわち、光源の強度を変更することは、光源をオン／オフすることを含む。別の例としては、本発明の他の応用および実施形態の使用は、本明細書に記載されているものに加えて、少なくともいくつかの実施形態に適用できる。この出願は、本発明のいかなる適応または変形をも含むものとする。したがって、本発明は、特許請求の範囲およびその均等物によってのみ限定されることが明らかに意図されている。
【図面の簡単な説明】
【図１】走査光学素子を有する本発明の実施形態による一般的な投影システムのブロック図である。
【図２】本発明の様々な実施形態による、２次元面が個々に走査されたサブ領域に分割される様々な様子を例示する平面図であり、（ａ）はサブ領域が違いに重なっていない場合、（ｂ）はサブ領域が重なっている場合をそれぞれ示したものである。
【図３】本発明の実施形態による、２次元面の対応するサブ領域を光ビームがどのように走査するかを示す概略平面図である。
【図４】光ビームが２次元面の対応するサブ領域を走査する、本発明の実施形態による図１の発光ユニットの概略ブロック図である。
【図５】（ａ）は、光ビームが２次元面の対応するサブ領域を走査する、本発明の実施形態による図１の走査光学素子のブロック図であり、（ｂ）はその具体的構成を示す図面である。
【図６】（ａ）は、本発明の実施形態による、２次元面が、該面の垂直ディメンションに実質的に沿って構成される光ビームによって走査される様子を例示する平面図であり、（ｂ）、（ｃ）および（ｄ）は、本発明の様々な実施形態による、光ビームが、２次元面の垂直ディメンションに実質的に沿って構成される様々な様子を拡大して示す図である。
【図７】光ビームが２次元面の垂直ディメンションに実質的に沿って構成され、水平ディメンションに沿って当該面を走査する、本発明の様々な実施形態による図１の発光ユニットのブロック図である。
【図８】光ビームが２次元面の垂直ディメンションに実質的に沿って構成され、水平ディメンションに沿って当該面を走査する、本発明の様々な実施形態による図１の発光ユニットのブロック図である。
【図９】２次元面の垂直ディメンションに実質的に沿って構成され、水平ディメンションに沿って当該面を光ビームが走査する、本発明の実施形態による図１の走査光学素子の図である。
【図１０】本発明の実施形態による使用方法のフローチャートである。
【図１１】本発明の実施形態による製造方法のフローチャートである。
【符号の説明】
１００　投影システム
１０２　発光源
１０２ａ、１０２ｂ、１０２ｎ　発光ユニット（複数のグループ）
１０４　画像コントローラ
１０６　画像原
１０８　走査光学素子
１１０　投影光学素子
１１２　スクリーン（２次元面）
２００、６０２　２次元面
２０２ａ、２０２ｂ、２０２ｎ、２５２、２５４、２５６、２５８、２６０、３０２　サブ領域
２５０　部分
３０４ａ、３０４ｂ、３０４ｎ　走査ライン
４０２、７０２　赤色発光源
４０４、７０４　緑色発光源
４０６、７０６　青色発光源
４０８、７０８、７５８ａ、７５８ｂ、７５８ｎ　ビーム形成器およびディレクタ
５０２　垂直転位光学素子
５０４　水平転位光学素子
５５０　プリズムユニット
５５２　反射プリズム
５５４　基部
５５８、８０６　光ビーム
６０４　光
６０６ａ、６０６ｂ、６０６ｎ　光ビーム
７１０、７６０ａ、７６０ｂ、７６０ｎ　光ファイバ
７１２　移動機構
７５２、７５４、７５６　光アレイ
８０２　多角形ミラー
【図１】
2004004818.tif 000003
【図２】
2004004818.tif 000004
【図３】
2004004818.tif 000005
【図４】
2004004818.tif 000006
【図５】
2004004818.tif 000007
【図６】
2004004818.tif 000008
【図７】
2004004818.tif 000009
【図８】
2004004818.tif 000010
【図９】
2004004818.tif 000011
【図１０】
2004004818.tif 000012
【図１１】
2004004818.tif 000013